(57)【特許請求の範囲】
【請求項１】
金属製又は合成樹脂製の仮囲いパネルの複数枚が隙間なく並べられ、並べられた前記パネルがその背面側において単管等の支持部材によって形成される支持機構に結合されて支持された仮囲いにおいて、前記支持機構における水平姿勢の上，下の支持部材に、垂直姿勢の２本の垂直サポート部材を平行、かつ、平行幅を変更可能に取付ける一方、該垂直サポート部材に、取付枠を備えたディスプレイの上下部を支持する上下の水平サポート部材を平行且つ上下幅可変に取付けてなり、前記水平サポート部材にディスプレイを取付けて支持させると共に、前記仮囲いにおける前記ディスプレイが対面する部位に仮囲いパネルを設けないか、又は、設置された仮囲いパネルに前記ディスプレイを見通せる窓を形成することを特徴とする仮囲い用のディスプレイ設置装置。
【請求項２】
垂直サポート部材を、仮囲いパネル背面の支持機構における垂直部材又は縦地単管に兼用させる構成とした請求項１に記載の設置装置。
【請求項３】
水平サポート部材は、その長さを変更できるようにした請求項１又は２に記載の設置装置。
【請求項４】
ディスプレイ又はディスプレイ前面の仮囲いパネルは、少なくともその正面幅が、標準仮囲いパネルの正面幅の略整数倍の大きさに形成されたものである請求項１〜３のいずれかに記載の設置装置。
【請求項５】
仮囲いパネルに代えて該パネルと略同幅のディスプレイを設けるようにした請求項４に記載の設置装置。
【請求項６】
ディスプレイは、その高さが仮囲いパネルの高さと同等のものか、又は、前記パネルの高さより低いものであり、低い場合には上方又は下方の隙間に埋め合わせパネルを設ける請求項５に記載の設置装置。
【請求項７】
ディスプレイは、表示画面と、その画面が装着される前面側が額縁状部に形成され且つ前記画面の背面側に少なくとも表示制御部と電源部を収容した開閉自在の箱状のディスプレイ取付枠とにより形成され、前記取付枠には、前記サポート部材に結合するための結合部が形成された請求項１〜６のいずれかに記載の設置装置。
【発明の詳細な説明】
【技術分野】
【０００１】
本発明は、工事現場等を鋼板等の仮囲いパネルで囲った仮囲いに、様々な内容の表示をさせる液晶パネル等のディスプレイを設置するための装置に関する。
【背景技術】
【０００２】
従来から工事現場をパネルで囲んだ仮囲いの外面には、当該工事の概要等についての表示や施主や工事企業体の名称等の表示、或は、近隣住民や通行人等に対する告知や諸注意など様々な内容の表示が行われている。
【０００３】
公知の仮囲い外面における各表示は、仮囲いパネルに直に表示したり、別途作成した表示パネルを、仮囲いパネルの外面に取付ける形態であるため、表示内容ごとに、或は表示内容が変わるごとに、前の表示を消して書き直ししたり、新たに別の表示パネルを作成して表示しなければならないなど、至って面倒な煩わしさがあるのみならず、そのような表示に接する人に対する喚起力も弱かった。
【０００４】
ところで最近の液晶パネル等のディスプレイは、相当大型のものまで低価格で市場に供給され、また屋外に設置される全天候タイプの大型ディスプレイも街頭宣伝等の媒体として使用されるようになった。
【０００５】
しかし工事現場の仮囲いに上記の大型ディスプレイは未だ利用されていない。また、先行技術文献においては、一部の文献に平面ディスプレイを工事現場の仮囲い使用する提案も見られるが、提案されているものは表示内容が一種類に止まっており汎用性に欠けるものであった。
【先行技術文献】
【特許文献】
【０００６】
【特許文献１】特開２００４−３４１０９１号公報
【特許文献２】特開２００７−２９１６２８号公報
【特許文献３】登録実用新案  第３１６４８０３号公報
【特許文献４】登録実用新案  第３１０７７７５号公報
【発明の概要】
【発明が解決しようとする課題】
【０００７】
そこで本発明では、上記のような仮囲いにおける表示内容や表示形態の現状に鑑み、大型液晶ディスプレイ等のディスプレイを工事現場の仮囲いに設置するための装置を提供することを、課題とする。
【課題を解決するための手段】
【０００８】
上記課題を解決することを目的としてなされた本発明ディスプレイ設置装置の構成は、金属製又は合成樹脂製の仮囲いパネルの複数枚が隙間なく並べられ、並べられた前記パネルがその背面側において単管等の支持部材によって形成される支持機構に結合されて支持された仮囲いにおいて、前記支持機構における水平姿勢の上，下の支持部材に、垂直姿勢の２本の垂直サポート部材を平行、かつ、平行幅を変更可能に取付ける一方、該垂直サポート部材に、取付枠を備えたディスプレイの上下部支持する上下の水平サポート部材を平行且つ上下幅可変に取付けてなり、前記水平サポート部材にディスプレイを支持させると共に、前記仮囲いにおける前記ディスプレイが対面する部位に仮囲いパネルを設けないか、又は、設置された仮囲いパネルに前記ディスプレイを見通せる窓を形成することを特徴とするものである。
【０００９】
本発明は上記構成における垂直サポート部材を、仮囲いパネル背面の支持機構における垂直部材又は縦地単管に兼用させる構成とすることができる。また、本発明では前記垂直サポート部材に取付ける水平サポート部材に代えて、前記ディスプレイ取付枠の上下部を垂直サポート部材に取付ける態様も採ることができる。
【００１０】
本発明で使用するディスプレイは、その正面幅が、標準仮囲いパネルの正面幅の略整数倍の大きさに形成されたものが望ましい。ここで、前記略整数倍の大きさには、当該整数倍より少し小さい数値を含むものとする。
【００１１】
本発明では、工事現場に設置する仮囲いにおいて、当該仮囲いの所要箇所の少なくとも２枚の仮囲いパネルに代えて該パネルと略同幅のディスプレイを設けることがある。この場合の前記ディスプレイの設置装置は、仮囲いパネルの支持機構における縦地単管と、該縦地単管を水平方向で連結する水平部材とを、それぞれ前記ディスプレイ支持用の垂直サポート部材と水平サポート部材として機能させることができる。この場合、ディスプレイ取付枠の上下部が縦地単管と水平部材に取付けられ、取付けられたディスプレイが仮囲いパネルに代替される。
【００１２】
本発明で使用するディスプレイは、表示画面と、その画面が装着される前面側が額縁状部に形成され且つ前記画面の背面側に少なくとも表示制御部と電源部を収容した開閉自体の箱状のディスプレイ取付枠とにより形成され、前記取付枠には、前記サポート部材に結合するための結合部が形成されているものとする。
【００１３】
本発明のディスプレイは、その設置環境に鑑みると、少なくとも防水性を含む耐候性、耐衝撃性、耐火性など、工事現場で屋外に設置される装置に適した特性を備えたものであることが望ましい。
【００１４】
前記ディスプレイによる表示内容の例としては、歩行者向けや近隣住民向けなどの工事内容の説明、工事完成後のイメージ図や写真、工事業者のＰＲ、工事現場が属している地域の自治体等による広報など様々な表示を選択して表示することができる。
【００１５】
このため、前記表示制御部は、一例としてネットワークを介した各種放送等の配信データを受ける受信部と前記配信データを含み画面に表示するデータの書替可能な記録部を含み、前記記録部のデータを表示するための一例として、タイミングコントローラー，データドライバ，アドレスドライバ，映像回路部を備えたものである。なお、上記ディスプレイには音声表示部として防水性のスピーカを前記額縁状部の内側に設けたものもある。また停電を伴う非常時でも画面表示ができるように、バッテリーや太陽電池、エンジン発電機などの電源を、内蔵又は外付けで備えることが好ましい。
【発明の効果】
【００１６】
本発明は、工事現場に設置される仮囲いパネルの中に液晶ディスプレイ等のディスプレイを設けるために、一例として、仮囲いパネルの支持機構における水平姿勢の上，下の支持部材に、垂直姿勢の２本の垂直サポート部材を平行、かつ、平行幅を変更可能に取付ける一方、該垂直サポート部材にディスプレイを取付けて支持させるようにしたから、前記ディスプレイを仮囲いパネルの一部として設けることができる。
【００１７】
また、仮囲いパネルの一部として設けられたディスプレイは、その表示内容を自在に変更することができるので、時間帯や季節等によって、例えば工事概要の表示，注意喚起表示，道路案内表示，地域の広報表示，工事業者等のＰＲ表示，夜間の街灯代替表示などを通行人や近隣住民等にとって適切な内容で切換えながら安易に行うことができる。
【図面の簡単な説明】
【００１８】
【図１】本発明設置装置を仮囲いに適用した一例の正面図。
【図２】図１の装置の背面図。
【図３】上部水平サポート部材の正面図。
【図４】図３のサポート部材の平面図。
【図５】下部水平サポート部材の正面図。
【図６】図５のサポート部材の平面図。
【発明を実施するための形態】
【００１９】
次に本発明の実施形態例を、図を参照しつつ説明する。
図１，図２において、１は鋼板又はアルミ板等の金属製又は合成樹脂製の仮囲いパネルで、一例として正面幅が５００ｍｍ前後、高さは２ｍと３ｍの２種類が一般的である。前記パネル１は、立てた姿勢で左右方向に並べるとき、互いに隣接するパネル１同士を密着させるため左右側を折り曲げ加工した左右の側壁１ａ，１ｂを具備している。
【００２０】
２は本発明装置の前面に配置される仮囲いパネルで、このパネル２は、上記パネル１の２倍の正面幅（１０００ｍ）に形成されたものである。このパネル２も左右側に上記側壁１ａ，１ｂと同趣旨の側壁２ａ，２ｂを備えている。なお、図示したパネル２の上半側略中央には、後述する平面ディスプレイFＤの表示画面LＰ用の穴2Hが形成され、その穴２Ｈに保護板などを取付けて窓に形成されている。本発明では上記パネル１又は２を標準仮囲いパネルの一例とする。
【００２１】
仮囲いパネル１，２は、図１，図２に例示するように左右並べて立設される時、互いに隣接するパネルの側壁１ａ，１ｂ、同１ｂ，２ａ、同２ｂ，１ａといった具合に密接した状態を固定するため、仮囲いパネル１，２の背面の上下部に水平方向に配した単管等による水平支持部材３，４に、前記の隣接した側壁１ａ，１ｂ・・・掴んで保持するクランプ３ａ，４ａを、隣接した側壁のピッチと同じピッチで設けている。
【００２２】
上記水平支持部材３，４は一例として根入れ部を有する単管などによる垂直支持部材（図１，図２では表わされていない）により支持されると共に、これら垂直支持部材の途中から斜め下方に向けて延びた単管等による斜材と前記斜材の下端から垂直姿勢で地中に埋設した根入れ部により支持されて、仮囲いの支持機構Ｓｍの一例を構成する。
【００２３】
なお、上記支持機構Ｓｍの構成は一例であって、前記斜材と垂直部材の下部を水平なつなぎ材で連結した構造など、多くの類似した或は近似した支持機構があるが、本発明はいずれの支持機構に支持された仮囲いであっても適用できる。
【００２４】
図２において、５，６は、前記の水平支持部材３，４にクランプ５ａ，６ａ等で結合して支持させた２本の垂直サポート部材であり、該サポート部材５，６はクランプ５ａ，６ａの緊締・弛緩により、水平支持部材３，４に対し左右にスライド可能，取付け位置変更可能に設けられている。また前記サポート部材５，６は接地側に昇降ジャッキを備えたものを用いることがある。後述する水平サポート部材７，８に取付けたディスプレイＦＤの高さの微調整に資するためである。
【００２５】
同じく図２において、７，８は上記垂直サポート部材５，６にクランプ７ａ，８ａを介して前記サポート部材５，６の上で、スライド，固定自在に設けた上，下の水平サポート部材である。
【００２６】
本発明では、前記上，下の水平サポート部材７，８に、後に説明する平面ディスプレイＦＤが支持されるので、このサポート部材７，８について図３〜図６により以下に説明する。
【００２７】
図３，図４において、７は上位の水平サポート部材で、正面視大略逆凹状を呈する左右の側端の垂直部７Ｌ，７Ｒにクランプ等による固定金具７１Ｌ，７１Ｒを具備した側断面が略Ｌ状の梁状の支持部材７２により形成されている。７３は前記支持部材７２の水平辺７２ｈに設けた、平面ディスプレイ等のディスプレイＦＤの上部を固定するためのビス穴である。７２ｖは前記支持部材７２の垂直辺である。
【００２８】
図３，図４の例では、固定金具７１Ｌ，７１Ｒの形式，構造、並びに、配置形態は上記例以外の金具や配置形態であってもよい。要は、この水平サポート部材７を、垂直サポート部材５，６の上下方向でスライド固定自在に支持できるものであればよい。
【００２９】
図５，図６において、８は下位の水平サポート部材で、正面からの姿（図５参照）は、前述した上位の水平サポート部材７の正面からの姿（図３参照）とほぼ同じ態様であるが、平面からの姿（図６参照）が上位の水平サポート部材７とは異なるので、以下に説明する。
【００３０】
下位の水平サポート部材８が、左右側端の垂直部８Ｌ，８Ｒにクランプ等による固定金具８１Ｌ，８１Ｒを具備した支持部材８２により形成されている点は、上記水平サポート部材７とほぼ共通している。しかし、このサポート部材８では、支持部材８２の形態が上記の水平サポート部材７とは異なったものである。すなわち、当該サポート部材８２は、平面から見ると、型鋼材などによる４つの構成部材８２ａ〜８２ｄが平面視大略横長口字状に形成されたものであり、ディスプレイＦＤの下端面をこのサポート却材８２の上に載架固定できるように形成されている。８３は構成部材８２ａ，８２ｂに設けた平面ディスプレイＦＤの固定用のビス穴である。
【００３１】
前記ディスプレイＦＤは、図示の例では、外観が前面に液晶などによるフラットな表示画面ＬＰと、この画面ＬＰを設けた縦長の薄い箱状筺体Ｂｄによるディスプレイ取付枠により形成されている。前記筐体Ｂｄは、表示画面ＬＰを含んで防水性等の機能を備えていると共に、内部に少なくとも表示制御部と電源部が収装されている。表示制御部の例としてはインターネット等のネットワークを介して各種放送等の配信データを受ける受信部と、前記データを書替え可能に記録する記録部とを含み、前記記録部と駆動制御部を具備したものがあるが、本発明に用いるディスプレイＦＤは、このような構成を備えたものに限られない。
【００３２】
図示したディスプレイＦＤは、その表示画面ＬＰが図２に示した筐体Ｂｄより小さいものであったが、表示画面ＬＰが筐体Ｂｄの正面外形とほぼ同じか僅かに小さい程度に形成されたディスプレイＦＤもある。図２のディスプレイＦＤは、上記水平サポート部材７，８にそのビス穴７３，８３において取付ビスｂにより装着される。図２の筐体Ｂｄにおいて、Ｃは筐体Ｂｄ裏面に設けられた開閉自在の裏蓋である。
【００３３】
ディスプレイＦＤの画面ＬＰを備えた筐体が、図２の筐体Ｂｄより大きい筐体で画面ＬＰも大型画面である場合には、本発明設置装置は仮囲いに対して次のような態様で施工して設ける。
まず、筐体Ｂｄの左右幅に合わせて左右の垂直サポート部材５，６の左右幅を広げた幅に位置づける。このとき垂直サポート部材５，６は、未だ仮囲いの水平支持部材３，４には装着されていない。
この状態で筐体Ｂｄの正面幅に見合う長さに予め調整された上下の水平サポート部材７，８を準備する。このため水平サポート部材７，８は長さ調節できる構造のものであることが好ましい。
準備した前記水平サポート部材７，８を前記の幅広位置に置いた垂直サポート部材５，６に架装する。
なお、実際の施工では垂直サポート部材５，６を仮囲いの水平支持部材３，４に装着し、水平支持部材３，４に支持された垂直サポート部材５，６に水平サポート部材７，8を架装する施工パターンもある。この場合、ディスプレイＦＤの前面に位置するパネル２に設ける穴２Ｈも大きくなった画面ＬＰの大きさに合わせた大きな穴２Ｈにする。前記穴２Ｈには透明なポリカーボネート板等による防護板を取付けて窓に形成さている。
【００３４】
このようにして図２に示したディスプレイＦＤよりも大型の表示画面ＰＬを有するディスプレイＦＤであっても本発明装置によって仮囲いの一部をなすように設けることができる。
本発明では大型画面ＬＰのディスプレイＦＤの左右幅が前記パネル１や２の２倍以上の整数倍、例えば１０００ｍｍや２０００ｍｍ、或はそれ以上の大きさの画面ＬＰのディスプレイＦＤであっても設けることができる。この場合の画面の高さがパネル１，２の高さと変わらないほどの大きさであると画面用の穴２Ｈを設けたパネル２は用いないで、設置するディスプレイＦＤにパネル２の役割を持たせることができる。画面ＬＰの高さがパネル１，２の高さより小さい場合には、画面ＰＬの上方又は下方に生じる隙間に、別の埋め合わせパネルを設けて、見栄えを補完する。
【００３５】
本発明は以上の通りであって、工事現場の仮囲いを形成する仮囲いパネルの一部になる形で液晶ディスプレイ等のディスプレイを設置して様々な表示を選択して切換表示できるように設けたから、従来のペイント等による静止画等しか表示できなかった仮囲いを、動画を含み様々な表示ができる表示媒体に転化することができる。
【符号の説明】
【００３６】
１，２  仮囲いパネル
２，４  水平支持部材
５，６  垂直サポート部材
７，８  水平サポート部材
ＦＤ  ディスプレイ
ＬＰ  表示画面
Ｂｄ  筐体
【図１】
0006437836.tif 000002
【図２】
0006437836.tif 000003
【図３】
0006437836.tif 000004
【図４】
0006437836.tif 000005
【図５】
0006437836.tif 000006
【図６】
0006437836.tif 000007